(57)【要約】【課題】  ラック外に広い場所を要さずに複数の電子機器を収容可能、かつ、初めの電子機器の取り付け位置が明確なラックを提供する。【解決手段】  本発明のラックは、電子機器を係止し、かつ、係止した前記電子機器を昇降可能な昇降部と、昇降部を昇降自在に支持するラック本体部と、前記昇降部に係止した前記電子機器を固定する固定部と、前記昇降部の間に水平に配置され、前記電子機器の取り付け位置の目安を示すシャフト部とを有する。【選択図】      図１
2015185624.tif 000002
【特許請求の範囲】
【請求項１】
電子機器を係止し、かつ、係止した前記電子機器を昇降可能な昇降部と、
昇降部を昇降自在に支持するラック本体部と、
前記昇降部に係止した前記電子機器を固定する固定部と、
前記昇降部の間に水平に配置され、前記電子機器の取り付け位置の目安を示すシャフト部と
を有するラック。
【請求項２】
前記昇降部は、
前記ラック本体部の高さ方向に延びるように配置される複数のチェーンと、
前記チェーンの１つを回転させるギア部と、
前記ギア部を操作するハンドル部とを有し、
前記シャフト部は、前記複数のチェーンの間に水平に配置され、前記ギア部によって回転された前記チェーンと、その他のチェーンとの回転を同期させる
請求項１に記載のラック。
【請求項３】
前記チェーンは、前記ラック本体部の幅方向に貫通する複数のギア係止孔と、前記ラック本体部の奥行方向に貫通する複数の機器係止孔を有し、
前記ギア部は、外周面において、前記ギア係止孔に係入する複数の突起部を有し、
前記電子機器は、前記機器係止孔を介して、前記固定具によって前記チェーンに固定される
請求項１または２に記載のラック。
【発明の詳細な説明】
【技術分野】
【０００１】
本発明は、電子機器等を収容するラックの技術に関する。
【背景技術】
【０００２】
近年、コンピュータルームにおいて、サーバおよびストレージ装置等の電子機器は、少ないスペースで運用可能とするために、ラックに搭載される。
【０００３】
このような多数の電子機器を収容する技術として、特許文献１には、電子機器を搭載する搭載部を備えた昇降部を有する筐体装置が開示されている。この特許文献１に記載された筐体装置は、設置面上に互いに間隔を置いて配置された支柱を４個備えた筐体と、電子機器を搭載する搭載部および４個の歯車を備える昇降部とを有する。昇降部は、筐体から取り外すことができる。筐体装置に電子機器を収容する際、作業者は、まず、昇降部を筐体の４個の支柱の間に置いた後、搭載部に電子機器を載せる。次に、作業者は、搭載された電子機器ごと昇降部を、支柱に沿って昇降させる。作業者は、電子機器を支柱にネジ等によって取り付けた後、昇降部を取り外すことができる。
【０００４】
また、特許文献２には、リフター機構付き電子機器収納筐体が開示されている。この特許文献２に記載された電子機器収納筐体に電子機器を収納する際、作業者は、まず、筐体の前面部に上下移動できるリフターベース部、リフターアーム部、およびリフター補強金具からなるリフター部を設ける。次に、作業者は、リフター部にラックマウントタイプの電子機器を載せた後に、リフター動力部の駆動力によりチェーンまたはワイヤーを介してリフター部を所望の位置まで持ち上げる。最後に、作業者は、電子機器を電子機器取付レールにネジ止めした後、電子機器取付レールをスライドさせて電子機器収納筐体内部へ収納する。
【０００５】
また、特許文献３には、昇降自在な固定具によって、電子機器のラックフレームへの固定および昇降を行う電子機器用ラックが開示されている。この特許文献３に記載されたラックは、４本のラックフレームを有する筐体と、ラックフレームに着脱自在かつ昇降自在に取り付けられる固定具と、固定具によってラックフレームに固定されたユニット（電子機器）を昇降させるベルト等を有する昇降手段とを備える。このラックにユニットを収容する際、作業者は、まず、ユニットに４個の固定具を取り付け、さらにその固定具を４本のラックフレームおよびベルトにそれぞれ設けられたピン孔の位置にピンを用いて固定する。次に、作業者は、固定具の固定状態を解除した後、ベルトと巻きとり車などを有する昇降手段により、ユニットを固定具ごと上昇させる。最後に、作業者は、固定具を固定状態とすることにより、ユニットを所望の位置へ収容することができる。
【先行技術文献】
【特許文献】
【０００６】
【特許文献１】特開２００９−２０６４２０号公報
【特許文献２】特開２００２−１６４６７８号公報
【特許文献３】特開２００９−１４７０１７号公報
【発明の概要】
【発明が解決しようとする課題】
【０００７】
しかしながら、特許文献１および特許文献２に開示された装置においては、広い場所を要するという問題がある。すなわち、特許文献１に開示された筐体装置において、昇降部は、電子機器を載せられる大きさであるので、設置作業および保管の場所を要する。特許文献２に開示された収納筐体においても、筐体の外側にリフター部を設置するので、広い場所を要するという問題がある。
【０００８】
また、特許文献３に開示されたラックにおいては、初めのユニットを収容する際、固定具の取り付け位置がわかりにくいという問題がある。すなわち、作業者は、多数設けられたピン孔の中から、４本のラックフレームのそれぞれに対して、同じ高さにあるピン孔を選んで固定具を取り付ける必要がある。
【０００９】
そこで、本発明は、ラック外に広い場所を要さずに複数の電子機器を収容可能、かつ、初めの電子機器の取り付け位置が明確なラックを提供することを目的とする。
【課題を解決するための手段】
【００１０】
上記の目的を達成すべく、本発明に係るラックは、以下の構成を備えることを特徴とする。
【００１１】
すなわち、本発明に係るラックは、
電子機器を係止し、かつ、係止した前記電子機器を昇降可能な昇降部と、
昇降部を昇降自在に支持するラック本体部と、
前記昇降部に係止した前記電子機器を固定する固定部と、
前記昇降部の間に水平に配置され、前記電子機器の取り付け位置の目安を示すシャフト部とを備える。
【発明の効果】
【００１２】
本発明には、少ないスペースにおいて、特に初めの電子機器を簡単に取り付けることができるという効果がある。
【図面の簡単な説明】
【００１３】
【図１】本発明の実施形態に係るラックの構造の概略を示す斜視図である。
【図２】ローラ固定ユニット４１にローラ４が軸支される様子を示す透視斜視図である。
【図３】ラック本体１の正面左下にあるハンドル３周辺の構造を拡大した透視斜視図である。
【図４】ハンドル固定ユニット３１によってハンドル３が固定されている様子を示すラック本体１の正面左下部の拡大図である。
【図５】ギア６がチェーン２に掛かる様子、およびギア６の逆回転を防止する機構の概略を示す図である。
【図６】サーバ機器１００をチェーン２に取り付けた様子の一例を示す拡大斜視図である。
【図７】ラック本体１にサーバ機器１００を搭載した様子の一例を示す図である。
【発明を実施するための形態】
【００１４】
次に、本発明の実施形態について図面を参照して詳細に説明する。
【００１５】
図１は、本発明の実施形態に係るラックの構造の概略を示す斜視図である。図１を参照すると、本実施形態に係るラックは、４つの脚部１４に支持されるラック本体１を備える。
【００１６】
本実施形態に係るラックは、複数のサーバまたはストレージ装置などの電子装置を搭載することができるラックである。
【００１７】
ラック本体１は、天板１１、天板１１の幅方向の両端部において互いに対向して配置される２枚の側板１２、および、天板１１と対向してラック本体１の下部に配置される底板１３を有する。なお、図１は、ラック本体１の構造を理解しやすいように、左側の側板１２を透過した状態で図示している。天板１１、側板１２、底板１３は、それぞれ矩形板状の部材である。ラック本体１の形状は、ラックの正面および背面が開いた直方体である。底板１３の裏面には、ラック本体１を支持することができる４つの脚部１４が固定されている。
【００１８】
ラック本体１は、４本の無端ループ状のチェーン２を有する。各チェーン２は、側板１２の上下の角に配置された一対のローラ４に巻かれ、それらのローラ４によって各側板１２の幅方向の端部に沿って移動可能に支持される。すなわち、４本のチェーン２は、８つのローラ４に支持されることによって、ラック本体１の４角において高さ方向に延びるように配置される。
【００１９】
図６は、サーバ機器１００をチェーン２に取り付けた様子の一例を示す拡大斜視図である。図６を参照すると、チェーン２は、ラック本体１の幅方向に貫通する複数のギア係止孔２１を有する。また、チェーン２は、ラック本体１の奥行方向に貫通する複数の機器係止孔２２を有する。
【００２０】
図１に示すように、ラック本体１の正面左下にあるローラ４を除く、７つのローラ４は、ローラ固定ユニット４１を介して、各側板１２の４角に配置される。
【００２１】
以下に、図２を参照して、ローラ４、およびローラ固定ユニット４１の構造を説明する。図２は、ローラ固定ユニット４１にローラ４が軸支される様子を示す透視斜視図である。
【００２２】
ローラ固定ユニット４１は、対向する２枚の固定板４１１と、背面固定板４１２を有する。２枚の固定板４１１は、背面固定板４１２の短手方向の両端部に配置される。すなわち、ローラ固定ユニット４１は、横断面がコの字状に形成されている。背面固定板４１２は、その長手方向をラック本体１の高さ方向に向けて、側板１２の角に固定される。ローラ固定ユニット４１は、２枚の固定板４１１の間にローラ４を挟むことにより、ローラ４の軸４２を中心に回転可能なように、ローラ４を軸支する。
【００２３】
また、ラック本体１の正面左下にあるローラ４は、ハンドル固定ユニット３１を介して、ラック正面左にある側板１２の手前下の角に配置される。以下に、図３を参照して、ラック正面左下の構造を説明する。
【００２４】
図３は、ラック本体１の正面左下にあるハンドル３周辺の構造を拡大した透視斜視図である。図３は、配置状況が理解しやすいように、底板１３および固定板３１１を透過して図示している。
【００２５】
図３に示すとおり、ハンドル固定ユニット３１は、対向する２枚の固定板３１１と、背面固定板３１２を有する。２枚の矩形板状の固定板３１１は、背面固定板３１２の短手方向の両端部に配置される。矩形板状の背面固定板３１２は、その長手方向をラック本体１の高さ方向に向けて、側板１２の正面左下の角に固定される。ローラ４は、２枚の固定板３１１の間に挟まれるように配され、その２枚の固定板３１１によってローラ４の軸４２を中心に回転可能なように軸支される。
【００２６】
また、ラック本体１の正面左下には、図３に示すように、ギア６と逆回転防止ギア３５とが、２枚の固定板３１１の間において、ローラ４の上方に配置される。ギア６、および逆回転防止ギア３５は、ラック本体１の内側の固定板３１１に、長手方向の一端が配される円柱状のハンドルシャフト３３によって軸支される。ギア６は、逆回転防止ギア３５より、ラック本体１の内側に配置される。ハンドルシャフト３３の他端は、円柱状のギアカバー３２の長手方向の一端に接続される。ギアカバー３２の他端は、ラック本体１の外側の固定板３１１に設けられた貫通孔を通して、ラック本体１の正面に突出する。ギアカバー３２のラック本体１の外に出た端部の断面には、矩形板状のハンドル３が固定される。図４は、ハンドル固定ユニット３１によってハンドル３が固定されている様子を示すラック本体１の正面左下部の拡大図である。
【００２７】
ハンドルシャフト３３、ギア６、逆回転防止ギア３５、およびギアカバー３２は、それぞれの中心軸が同じになるように一体的に結合される。すなわち、ハンドル３を操作することにより、ハンドルシャフト３３、ギア６、逆回転防止ギア３５、およびギアカバー３２を、それらの中心軸に沿って回転させることが可能である。
【００２８】
ギア６は、その外周面において、チェーン２のギア係止孔２１に係入する複数の突起部６１を有する。ギア６は、突起部６１と、チェーン２のギア係止孔２１とを噛み合わせることにより、ギア６の回転に伴って、チェーン２を回転させる。すなわち、ハンドル３の操作によってギア６が回転し、ギア６が回転することにより、ギア６が係止している正面左のチェーン２をラック本体１の高さ方向に沿って移動（回転）させることができる。
【００２９】
図５は、ギア６がチェーン２に掛かる様子、およびギア６の逆回転を防止する機構の概略を示す図である。なお、図５は、ハンドル固定ユニット３１の内部の配置状況が理解しやすいように、固定板３１１を透過して図示している。
【００３０】
図５を参照すると、逆回転防止ギア３５は、その外周面において、ストッパー３４によって係止される複数の突起部３５１を有する。ストッパー３４においては、矩形板状の基部３４１の１端に形成された突起部３４２が、逆転回転防止ギア３５の突起部６１を係止する。すなわち、ストッパー３４は、逆回転防止ギア３５を係止することにより、連動するギア６を係止することができる。ストッパー３４の基部３４１には、突起部３４２と反対の面に矩形板状の柄３４３が形成されている。
【００３１】
さらに、図５において、ハンドル固定ユニット３１の背面固定板３１２には、その厚さ方向に貫通する矩形のストッパー係止孔３１２１が形成される。また、ラック本体１の左の側板１２の下部には、その厚さ方向に貫通する矩形のストッパー係止孔１２１が形成される。ストッパー係止孔３１２１とストッパー係止孔１２１とは、幅方向において一致した位置に配される。そして、柄３４３は、ストッパー係止孔３１２１および１２１を通して、ラック本体１の外に突出する。柄３４３は、逆回転防止ギア３５の突起部６１を係止するように、また、軸３６を中心に回転可能なように、軸３６によって軸支される。ストッパー３４と接していない軸３６の１端は、ラック本体１の内側の固定板３１１に対して固定される。すなわち、ストッパー３４は、突起部３４２を上にして、固定板３１１に取り付けられる。
【００３２】
また、ストッパー３４の基部３４１の下端には、ラック本体１の高さ方向に延びるスプリング３７が設けられる。スプリング３７の下端は、矩形板状の固定板３８の上面によって支持される。固定板３８は、その長手方向を奥行方向に向けて、左側面がハンドル固定ユニット３１の背面固定板３１２に固定される。
【００３３】
ハンドル３を操作し、ギア６および逆回転防止ギア３５が正回転（反時計回り）する場合、逆回転防止ギア３５によってストッパー３４の突起部３４２が押し下げられることにより、ストッパー３４の突起部３４２の係止が外れる。そして、ハンドル３の操作を止めたとき、ストッパー３４は、圧縮されていたスプリング３７から、スプリング３７の長手方向に延びる方向へ付勢されているので、ストッパー３４は、図５に示す位置に戻る。
【００３４】
一方、ギア６が逆回転（時計回り）しようとする場合、ストッパー３４の突起部３４２が逆回転防止ギア３５によって押し上げられるので、柄３４３が下がる。そして、柄３４３が、ストッパー係止孔３１２１および１２１の下端に当たることによって係止される。したがって、ストッパー３４の突起部３４２が、逆回転防止ギア３５の突起部３５１を係止する状態が維持されるので、ギア６（および逆回転防止ギア３５）が逆回転することを防止することができる。
【００３５】
なお、ギア６を逆回転させたい場合は、ラック本体１の外に突出している柄３４３をストッパー３４による係止が解除される位置まで押し上げた状態で、ハンドル３を逆回転させればよい。
【００３６】
図１を参照すると、本実施形態に係るラックは、４本のチェーン２を同時に動作させることができる４本の矩形板状のシャフト５を有する。４本のシャフト５は、ラック本体１の幅方向と奥行方向と平行に、同じ高さにおいて、２本ずつ対向するように配置されることにより、概略として矩形を成す。すなわち、各シャフト５は、ラック本体１の内側に位置するチェーン２同士の間において水平に配置されることにより、ラック本体１の断面の辺に沿って隣り合うチェーン２同士を結合する。各シャフト５の長手方向の端部は、各チェーン２に対して、溶接または留め具などにより固定される。シャフト５は、４本のチェーン２の間において、水平に電子機器を取り付ける際の取り付け位置（各チェーン２における機器係止孔２２）の目安を示す。
【００３７】
ハンドル３の操作により、ラック本体１の正面左のチェーン２が移動（回転）すると、４本のシャフト５が、正面左のチェーン２の移動に伴って昇降される。すなわち、４本のシャフト５を通じて、正面左のチェーン２の駆動力が伝えることにより、４本のシャフト５が、残り３本のチェーン２を、正面左のチェーン２と同期して移動することが可能となる。
【００３８】
なお、チェーン２に係止された電子機器を昇降する機能を有する部分を総称して、昇降部とも言う。すなわち、本実施形態において、昇降部とは、チェーン２、ハンドル３、ローラ４、ギア６、ギアカバー３２、およびハンドルシャフト３３などを含む。
【００３９】
次に、このように構成された本実施形態に係るラックの作用について詳細に説明する。
【００４０】
ラック本体１に搭載された機器がない状態において、電子機器の一例であるサーバ機器１００を搭載する手順は、以下の通りである。
【００４１】
まず、搭載を行う作業者は、ラック本体１の底板１３の上に、搭載対象であるサーバ機器１００を置く。このとき、作業者は、必要に応じて、サーバ機器１００の正面および背面からネジを取り付けられるタップ穴を有するラック搭載用のレール等を、あらかじめ取り付けておく。なお、ラック搭載用のレール等は、サーバ機器１００の付属品またはオプション品などとして、サーバ機器１００のメーカから供給されることが一般的である。
【００４２】
次に、作業者は、上述したようにハンドル３、および必要に応じてストッパー３４の柄３４３を操作してチェーン２を移動させることにより、サーバ機器１００の上面のすぐ近くまでシャフト５を移動させる。
【００４３】
次に、作業者は、図６に示すように、サーバ機器１００をネジ等の固定具（固定部）によって、チェーン２に取り付ける（固定する）。図６は、サーバ機器１００をチェーン２に取り付けた様子の一例を示す拡大斜視図である。図６に示すチェーン２は、ラック本体１の正面左の内側に配置されたチェーン２である。図６を参照すると、本実施形態では、一例として、８本のネジ（固定部）７によって、タップ穴を有するレール１０１を４本のチェーン２に取り付ける。レール１０１は、サーバ機器１００の４角において、それぞれ２つずつのタップ穴を有することとする。また、レール１０１は、上述した通り、サーバ機器１００にあらかじめ取り付けられている。
【００４４】
ネジ７は、チェーン２の機器係止孔２２より大きな径のネジ頭７１と、機器係止孔２２を通る径の軸７２とを有する雄ねじである。軸７２は、チェーン２の機器係止孔２２を貫通し、さらに、レール１０１のタップ穴にネジ７を締結（固定）することができる長さを有する。
【００４５】
具体的な取り付け手順として、まず、作業者は、シャフト５を目安として、４本のチェーン２における同じ高さの機器係止孔２２を選ぶ。そして、作業者は、その機器係止孔２２に、ラック本体１の正面方向から背面方向へネジ７を差し込み、チェーン２の背面に位置するレール１０１のタップ穴に固定する。このような固定作業を繰り返すことにより、作業者は、サーバ機器１００の４角に位置するレール１０１の合計８つのタップ穴をネジ７によって固定する。図７は、ラック本体１にサーバ機器１００を搭載した様子の一例を示す図である。なお、図７は、サーバ機器１００を固定した後、ハンドル３の操作により、少し上昇させた状態を示す。
【００４６】
さらに、２台目のサーバ機器（図示せず）等を取り付ける場合の手順は、以下の通りである。
【００４７】
サーバ機器１００を搭載した後、作業者は、ハンドル３を正方向に回転させることにより、２台目のサーバ機器の筐体が搭載できる位置まで、１台目のサーバ機器１００を上昇させる。そして、作業者は、１台目のサーバ機器１００と同様に、２台目のサーバ機器をチェーン２に対してネジ７によって固定する。このような手順を繰り返すことにより、下から順に最上段の位置までサーバ機器等を安全に搭載することができる。
【００４８】
このように、本実施形態によれば、少ないスペースにおいて、特に初め（１台目）の電子機器を簡単に取り付けることができるという効果がある。
【００４９】
その理由は、ラックが次のような構成を有するからである。すなわち、ラックは、電子機器（サーバ機器１００）を係止し、かつ、係止した電子機器を昇降可能な昇降部と、昇降部を昇降自在に支持するラック本体部とを含む。さらに、ラックは、昇降部に係止した電子機器を固定する固定部と、昇降部の間に水平に配置され、電子機器の取り付け位置の目安を示すシャフト部（シャフト５）とを有するからである。このような構成により、上述の効果が得られる。
【００５０】
具体的に、昇降部は、ラック本体部の高さ方向に延びるように配置される複数のチェーン（チェーン２）と、チェーンの１つを回転させるギア部（ギア６、逆回転防止ギア３５）と、ギア部を操作するハンドル部（ハンドル３、ハンドルシャフト３３）とを有する。また、シャフト部（シャフト５）は、複数のチェーン２の間に水平に配置され、ギア部によって回転されたチェーン２と、その他のチェーンとの回転を同期させる。このように、本実施形態のラック本体１は、電子機器を昇降させる機構であるハンドル３、チェーン２、ギア６を常時内蔵しているので、筐体の外側に電子機器を昇降させるリフター等を設置するスペースおよび手間を必要としない。
【００５１】
また、本発明の実施の形態では、チェーン２は、ラック本体部の幅方向に貫通する複数のギア係止孔２１を有する。そして、ギア部は、外周面において、ギア係止孔２１に係入する複数の突起部６１を有する。電子機器は、ギア係止孔２２を介して、固定具によってチェーン２に固定される。
【００５２】
したがって、１台目の電子機器を取り付ける際に、作業者が、シャフト５を目安として、４本のチェーン２における同じ高さの機器係止孔２２を簡単に選ぶことができる。  また、本実施形態によれば、ラック本体だけで電子機器の筐体を最上段まで安全に搭載することができる。すなわち、本実施形態によれば、人手で電子機器を持ち上げて搭載するラック等において懸念される、筐体の落下の危険、または、作業者が腰や肩などを痛める危険を冒さずに、高い位置への搭載作業が可能となる。
【００５３】
その理由は、本実施形態においては、作業者は、常に最下段において電子機器の搭載（固定）を行うことができるからである。また、その搭載した電子機器を上昇させる際には、作業者は、ハンドル３を操作するだけで電子機器の筐体を上昇させることができるからである。
【００５４】
次に本実施形態の変形例について説明する。
【００５５】
ローラ４は、例えば、ギア６のような、チェーン２のギア係止孔２１に係入する突起部を有する部材に替えてもよい。この場合、変更したギア等が、チェーン２に対する動力の伝達というシャフト５の機能を補完することにより、４本のチェーン２の動作の同期がさらに確実になるという効果が期待できる。
【００５６】
また、ストッパー３４および逆回転防止ギア３５を有する逆回転を防止する機構は、ギア６の回転を一方向に制御することが可能な機構であれば、本実施形態に限定されない。例えば、ギア６自体を、ラチェット機構を有するギアに替えてもよい。
【００５７】
また、本実施形態においては、サーバ機器１００を搭載対象としたが、ストレージ装置などの他の電子機器であってもよい。また、本実施形態に係るラックは、電子機器以外のユニットを収納することが可能である。
【符号の説明】
【００５８】
１    ラック本体
１１    天板
１２    側板
１２１    ストッパー係止孔
１３    底板
１４    脚部
２    チェーン
２１    ギア係止孔
２２    機器係止孔
３    ハンドル
３１    ハンドル固定ユニット
３１１    固定板
３１２    背面固定板
３１２１    ストッパー係止孔
３２    ギアカバー
３３    ハンドルシャフト
３４    ストッパー
３４１    基部
３４２    突起部
３４３    柄
３５    逆回転防止ギア
３５１    突起部
３６    軸
３７    スプリング
３８    固定板
４    ローラ
４１    ローラ固定ユニット
４１１    固定板
４１２    背面固定板
４２    軸
５    シャフト
６    ギア
６１    突起部
７    ネジ
７１    ネジ頭
７２    軸
１００    サーバ機器
１０１    レール
【図１】
2015185624.tif 000003
【図２】
2015185624.tif 000004
【図３】
2015185624.tif 000005
【図４】
2015185624.tif 000006
【図５】
2015185624.tif 000007
【図６】
2015185624.tif 000008
【図７】
2015185624.tif 000009